(57)【要約】【課題】支持部材が傾いている場合であっても血液レベルの正確な把握が可能となるように血液リザーバータンクを固定する。【解決手段】支持部材に取り付けられるアーム部材１０と、血液リザーバータンクを保持する保持部材３０と、アーム部材１０と保持部材３０とを連結する連結部５０とを備えている。連結部５０は、保持部材３０を、アーム部材１０における保持部材３０が連結される部位に対し、中心線Ｘ周りに回動可能に、かつ、傾動可能に連結する。【選択図】図１
2014161622.tif 000002
【特許請求の範囲】
【請求項１】
血液リザーバータンクを支持部材に固定するための血液リザーバータンク用ホルダにおいて、
上記支持部材に取り付けられるアーム部材と、
上記血液リザーバータンクを保持する保持部材と、
上記アーム部材と上記保持部材とを連結する連結部とを備え、
上記連結部は、上記保持部材を、上記アーム部材における上記保持部材が連結される部位に対し、該部位の中心線周りに回動可能に、かつ、該中心線に対し傾動可能に連結することを特徴とする血液リザーバータンク用ホルダ。
【請求項２】
請求項１に記載の血液リザーバータンク用ホルダにおいて、
上記連結部は、可動部材と、該可動部材をクランプするためのクランプ機構とを備え、
上記可動部材は、上記アーム部材と上記保持部材との一方の部材に固定され、
上記クランプ機構は、上記アーム部材と上記保持部材との他方の部材に固定されていることを特徴とする血液リザーバータンク用ホルダ。
【請求項３】
請求項２に記載の血液リザーバータンク用ホルダにおいて、
上記可動部材には、上記保持部材の回動範囲及び傾動範囲の少なくとも一方の範囲を設定するためのストッパ部が突設され、
上記クランプ機構が固定される部材には、上記ストッパ部が挿入される挿入孔が形成され、
上記ストッパ部は、上記挿入孔の周縁部に係合することによって上記一方の範囲を設定することを特徴とする血液リザーバータンク用ホルダ。
【発明の詳細な説明】
【技術分野】
【０００１】
本発明は、例えば人工心肺装置の一部を構成する血液リザーバータンクを固定するためのホルダに関するものである。
【背景技術】
【０００２】
一般に、人工心肺装置や補助循環装置は、血液循環ポンプや人工肺の他に、静脈血を一時的に貯留しておく血液リバーザータンクを備えた体外循環回路を有している。
【０００３】
上記体外循環回路の各部材は、術中の監視を確実なものとするために視認性の高い状態で固定しておく必要がある。例えば、特許文献１には、架台から鉛直上向きに延びる支持部材に体外循環回路の各部材を固定しておくための体外循環装置用ホルダが開示されている。
【０００４】
特許文献１のホルダは、支持部材に固定されて水平方向に延びる水平アーム部材と、水平アーム部材から鉛直下向きに延びる鉛直アーム部材とを備えている。鉛直アーム部材には、体外循環回路の各部材を保持するための棒材が水平方向に差し込まれて固定されるようになっている。棒材の鉛直アーム部材に対する差し込み位置を変更することで体外循環回路の各部材の高さ調整を行うことができ、また、棒材の鉛直アーム部材に対する差し込み量を変更することで体外循環回路の各部材の水平方向の位置調整を行うことが可能となっている。
【先行技術文献】
【特許文献】
【０００５】
【特許文献１】特開２００８−１８８２６９号公報
【発明の概要】
【発明が解決しようとする課題】
【０００６】
ところで、体外循環時には、特に血液リザーバータンクの血液レベルに細心の注意を払いながら血流量を調整する必要があるので、良好な視認性を確保するのはもちろんのこと、血液レベルを正確に把握できるように血液リザーバータンクを固定しておかなければならない。
【０００７】
血液リザーバータンクには貯留血液量を示す目盛が刻まれており、この目盛を読むことで貯留血液量を把握するのであるが、血液リザーバータンクが仮に傾いて固定されていると、目盛が実際の血液レベルを示さない状態となってしまい、血液レベルを正確に把握することができなくなる。
【０００８】
特に、小児患者で体外循環を行う場合には、絶対的な血液量が大人に比べて少ないことから血液リザーバータンクの血液レベルを正確に把握することがより一層重要なものとなる。
【０００９】
特許文献１のホルダを用いて血液リザーバータンクを固定する場合を想定すると、このホルダでは、体外循環回路の各部材の高さ調整及び水平方向の位置調整しか行うことができないので、例えば、経年変化等によって架台の支持部材が鉛直線に対して傾いていると、血液リザーバータンクが正規の固定状態から傾いて固定されることになり、その結果、上述した血液レベルの正確な把握が困難になる場合が考えられる。また、特許文献１のホルダでは、製造上の誤差により、例えば水平アーム部材が水平線に対し傾いている場合や、鉛直アーム部材が鉛直線に対し傾いている場合にも、同様に血液リザーバータンクの血液レベルを正確に把握できない場合が考えられる。
【００１０】
本発明は、かかる点に鑑みてなされたものであり、その目的とするところは、支持部材が傾いている場合であっても血液レベルの正確な把握が可能となるように血液リザーバータンクを固定することにある。
【課題を解決するための手段】
【００１１】
上記目的を達成するために、本発明では、血液リザーバータンクを保持する保持部材を回動及び傾動可能にした。
【００１２】
第１の発明は、血液リザーバータンクを支持部材に固定するための血液リザーバータンク用ホルダにおいて、
上記支持部材に取り付けられるアーム部材と、
上記血液リザーバータンクを保持する保持部材と、
上記アーム部材と上記保持部材とを連結する連結部とを備え、
上記連結部は、上記保持部材を、上記アーム部材における上記保持部材が連結される部位に対し、該部位の中心線周りに回動可能に、かつ、該中心線に対し傾動可能に連結することを特徴とするものである。
【００１３】
この構成によれば、血液リザーバータンクを保持する保持部材を、アーム部材に対してその中心線周りに回動でき、しかも、中心線に対し傾動させることもできる。これにより、血液リザーバータンクの傾きを修正することが可能になる。
【００１４】
第２の発明は、第１の発明において、
上記連結部は、可動部材と、該可動部材をクランプするためのクランプ機構とを備え、
上記可動部材は、上記アーム部材と上記保持部材との一方の部材に固定され、
上記クランプ機構は、上記アーム部材と上記保持部材との他方の部材に固定されていることを特徴とするものである。
【００１５】
この構成によれば、例えば可動部材を保持部材に固定しておき、クランプ機構をアーム部材に固定した場合には、クランプ機構のクランプを解除することで、可動部材が自由に動けるようになるので、保持部材を、アーム部材に対してその中心線周りに回動させることや、中心線に対し傾動させることが容易に行えるようになる。一方、クランプ機構で可動部材をクランプすると、可動部材の動きが阻止されるので、保持部材を任意の位置で固定することが可能になる。尚、可動部材をアーム部材に固定し、クランプ機構を保持部材に固定した場合も同様である。
【００１６】
第３の発明は、第２の発明において、
上記可動部材には、上記保持部材の回動範囲及び傾動範囲の少なくとも一方の範囲を設定するためのストッパ部が突設され、
上記クランプ機構が固定される部材には、上記ストッパ部が挿入される挿入孔が形成され、
上記ストッパ部は、上記挿入孔の周縁部に係合することによって上記一方の範囲を設定することを特徴とするものである。
【００１７】
この構成によれば、保持部材を回動させたり、傾動させる際に、可動部材のストッパ部が挿入孔の周縁部に係合することで、保持部材が不意に大きく回動してしまったり、傾動してしまうのを抑制することが可能になる。
【発明の効果】
【００１８】
第１の発明によれば、血液リザーバータンクを保持する保持部材を、アーム部材に対してその中心線周りに回動させるとともに、中心線に対し傾動させることができるので、血液リザーバータンクの傾きを修正することができる。これにより、支持部材が傾いている場合であっても血液レベルの正確な把握が可能となるように血液リザーバータンクを固定することができる。
【００１９】
第２の発明によれば、連結部の可動部材をアーム部材と保持部材との一方の部材に固定し、可動部材をクランプするクランプ機構を他方の部材に固定したので、クランプ機構を操作することで保持部材の回動及び傾動可能状態と、固定状態とを容易に切り替えることができ、操作性を良好にすることができる。
【００２０】
第３の発明によれば、保持部材の回動範囲及び傾動範囲の少なくとも一方の範囲をストッパ部によって設定することができるので、保持部材が不意に大きく回動してしまったり、傾動してしまうのを抑制することができ、血液リザーバータンクの傾きを安全に、かつ、容易に修正することができる。
【図面の簡単な説明】
【００２１】
【図１】本発明の実施形態に係る血液リザーバータンク用ホルダの斜視図である。
【図２】血液リザーバータンク用ホルダの使用状態を説明する側面図である。
【図３】水平アームを省略した血液リザーバータンク用ホルダの斜視図である。
【図４】保持部材を下方へ傾動させた状態の図３相当図である。
【図５】保持部材を上方へ傾動させた状態の図３相当図である。
【図６】保持部材を左へ回動させた状態の図３相当図である。
【図７】保持部材を右へ回動させた状態の図３相当図である。
【図８】連結部の構造を説明する右側から見た斜視図である。
【図９】連結部の構造を説明する左側から見た斜視図である。
【図１０】連結部の分解斜視図である。
【図１１】ハウジングの斜視図である。
【図１２】実施形態の変形例に係る連結部近傍を下方から見た斜視図である。
【発明を実施するための形態】
【００２２】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２３】
図１は、本発明の実施形態に係る血液リザーバータンク用ホルダ１の斜視図であり、図２は、血液リザーバータンク用ホルダ１の使用状態を説明する側面図である。血液リザーバータンク用ホルダ１は、支持部材としてのポールＰ（図２にのみ示す）に取り付けられるアーム部材１０と、血液リザーバータンクＴ（図２にのみ示す）を保持するための保持部材３０と、アーム部材１０と保持部材３０とを連結するための連結部５０とを備えている。詳細は後述するが、保持部材３０は、図４〜図７の矢印Ａ〜Ｄに示すように上下方向に傾動するとともに、水平軸周りに回動するようになっており、これによって血液リザーバータンクＴの傾きを修正することが可能となっている。
【００２４】
尚、この実施形態の説明では、説明の便宜を図るために、図１等において保持部材３０に向かったときに右となる側を単に「右」といい、左となる側を単に「左」という。
【００２５】
図２に示すポールＰは、例えば手術室等に設置される架台（図示せず）から鉛直上向きに延びるものである。また、血液リザーバータンクＴは、人工心肺装置や補助循環装置の一部を構成する従来周知のものであり、静脈血を一時的に貯留することができるようになっている。血液リザーバータンクＴには、貯留された血液量を知るための目盛が刻まれており、血液リザーバータンクＴが、鉛直線に対して傾いていない正規の固定状態の時に正確な血液量を目盛によって把握することが可能である。
【００２６】
図１及び図２に示すように、アーム部材１０は、ポールＰに取り付けられる水平アーム１１と、水平アーム１１から鉛直下方へ延びるシャフト１２と、シャフト１２の下部に取り付けられるブロック１３とを備えている。水平アーム１１は、ポールＰを径方向に挟むコ字状に形成されたアームヘッド１１ａと、アームヘッド１１ａからポールＰとは反対側へ突出するアーム部１１ｂとを有しており、アームヘッド１１ａ及びアーム部１１ｂは一体成形されている。
【００２７】
アームヘッド１１ａには、パイプクランプレバー１４が設けられている。パイプクランプレバー１４は、水平方向に延びるねじ軸１４ａと、ねじ軸１４ａの先端部に取り付けられた押し板１４ｂとを有している。ねじ軸１４ａがアームヘッド１１ａに形成されたねじ孔に螺合しており、パイプクランプレバー１４を上下に回動させることによって押し板１４ｂが水平方向に移動してパイプＰをクランプするように構成されている。
【００２８】
水平アーム１１のアーム部１１ｂは、鉛直なポールＰにアームヘッド１１ａが取り付けられたときに略水平に延びるように形成されている。アーム部１１ｂの先端部には、シャフト１２の上側が挿入されるシャフト挿入孔１１ｃが上下方向に貫通するように形成されている。また、アーム部１１ｂの先端部には、上記パイプクランプレバー１４と同様に構成された上側シャフトクランプレバー１５が設けられている。この上側シャフトクランプレバー１５を上下に回動させることにより、シャフト１２の上側をアーム部１１ｂに対しクランプすることができるようになっている。
【００２９】
アーム部材１０のブロック１３は、保持部材３０が連結部５０を介して連結される部位である。図３等にも示すように、ブロック１３の中心線Ｘは水平方向に延びている。ブロック１３の基端部には、シャフト１２の下側が挿入されるシャフト挿入孔１３ａが上下方向に貫通するように形成されている。また、ブロック１３の基端部には、上記パイプクランプレバー１４と同様に構成された下側シャフトクランプレバー１６が設けられている。この下側シャフトクランプレバー１６を上下に回動させることにより、シャフト１２の下側をブロック１３に対しクランプすることができるようになっている。
【００３０】
上側シャフトクランプレバー１５及び下側シャフトクランプレバー１６の一方または両方を操作することで、水平アーム１１とブロック１３とを接近させたり、シャフト１２の長さの範囲で離したりすることができるようになっている。
【００３１】
保持部材３０は、本体部３１と、一対の把持片３２，３２とを備えている。本体部３１は、略水平方向に延びており、本体部３１の基端部は、連結部５０を介してアーム部材１０のブロック１３に連結される。本体部３１の先端部は、図２に示す血液リザーバータンクＴの円筒状保持部Ｔ１の形状に対応して円弧状に窪んでいる。把持片３２，３２は、本体部３１の先端部において幅方向両側にそれぞれ取り付けられている。把持片３２，３２の形状は、血液リザーバータンクＴの保持部Ｔ１の形状に対応して円弧状に湾曲している。把持片３２，３２は、本体部３１への取り付け状態で、先端側が互いに接離する方向に回動するようになっている。血液リザーバータンクＴの保持部Ｔ１は、把持片３２，３２によって径方向に挟持された状態で保持部材３０に着脱可能に保持される。
【００３２】
連結部５０は、図１０に示す球状部材（可動部材）５１と、球状部材５１をクランプするクランプ機構５２とを備えている。この実施形態では、球状部材５１は、保持部材３０に固定される一方、クランプ機構５２はアーム部材１０に固定される。
【００３３】
球状部材５１には、該球状部材５１の上端部から上方へ突出する円柱状のストッパ部５１ａと、該球状部材５１の保持部材３０側から水平方向に突出する円柱部５１ｂと、円柱部５１ｂの突出方向先端部に設けられた略矩形の取付板部５１ｃとを有している。ストッパ部５１ａの中心線と円柱部５１ｂの中心線とがなす角度は略９０度である。また、ストッパ部５１ａの中心線と円柱部５１ｂの中心線とは、仮想の同一鉛直面上に位置している。円柱部５１ｂの外径は、ストッパ部５１ａの外径よりも大きく設定されている。取付板部５１ｃは、円柱部５１ｂの中心線に対し直交する方向に延びている。取付板部５１ｃには、複数の取付孔５１ｄが形成されている。取付板部５１ｃは、取付孔５１ｄに挿通した締結部材（ボルト、ビス等）によって保持部材３０の本体部３１の基端部に締結固定されるようになっている。従って、球状部材５１は、保持部材３０と一体化している。
【００３４】
クランプ機構５２は、左側及び右側クランプブロック５３，５４と、左側及び右側板部材５５，５６と、クランプレバー５７（図８に示す）と、ハウジング６０とを備えている。左側クランプブロック５３は、例えばゴム等の弾性部材からなる直方体形状のものである。左側クランプブロック５３の右側面には、球状部材５１の外面のうち、左側の一部が嵌る形状の凹部５３ａが形成されている。右側クランプブロック５４は左側クランプブロック５３と同様に構成されており、右側クランプブロック５４の左側面には、球状部材５１の外面のうち、右側の一部が嵌る形状の凹部５４ａが形成されている。左側板部材５５は、左側クランプブロック５３の左側面に沿って延びるように形成されて該左側面に接するようにして配設されるものであり、左側クランプブロック５３よりも硬い部材、例えばステンレス板等で構成されている。右側板部材５６は左側板部材５５と同様に構成されており、右側クランプブロック５４の右側面に配設されている。
【００３５】
ハウジング６０は、球状部材５１と、左側及び右側クランプブロック５３，５４と、左側及び右側板部材５５，５６とを収容するものである。ハウジング６０は、左右方向の中央部において左右に分割された左側部材６１と右側部材６２とで構成されている。ハウジング６０がアーム部材１０のブロック１３に固定されるようになっている。
【００３６】
左側部材６１には、左側クランプブロック５３及び左側板部材５５を収容する左側収容凹部６１ａが形成されている。左側部材６１の上部の右縁部には、左側上部切欠部６１ｂが形成されている。左側部材６１における保持部材３０側の右縁部には、左側下部切欠部６１ｃが形成されている。また、図８に仮想線で示すように、左側部材６１の左側壁部の略中央近傍には、左右方向に貫通する左側ねじ穴６１ｄが形成されている。
【００３７】
右側部材６２は左側部材６１と同様に形成され、図８に仮想線で示すように右側クランプブロック５４及び右側板部材５６を収容する右側収容凹部６２ａが形成されている。図１０に示すように、右側部材６２の上部の左縁部には、右側上部切欠部６２ｂが形成されている。右側部材６２における保持部材３０側の左縁部には、右側下部切欠部６２ｃが形成されている。また、右側部材６２の右側壁部の略中央近傍には、左右方向に貫通する右側ねじ穴６２ｄが形成されている。
【００３８】
左側部材６１と右側部材６２とを合わせた状態で図示しない締結部材を用いて一体化することができるようになっている。一体化した状態では、球状部材５１が左側クランプブロック５３と右側クランプブロック５４とで左右方向から挟まれて左右方向の略中央で保持される。
【００３９】
図８に示すように、クランプレバー５７は、ハウジング６０の右側ねじ穴６２ｄに螺合するねじ軸部５７ａを有している。ねじ軸部５７ａは略水平に延びている。ねじ軸部５７ａの基端部にはレバー本体５７ｂが固定されている。ねじ軸部５７ａの先端面５７ｃは、右側板部材５６の右側面に当接するようになっている。
【００４０】
ねじ軸部５７ａがハウジング６０の右側ねじ穴６２ｄに螺合する方向にクランプレバー５７を回動させると、ねじ軸部５７ａの先端面５７ｃが右側板部材５６を左側へ押し、このとき左側板部材５５はハウジング６０内で固定されているので、球状部材５１が左側及び右側クランプブロック５３，５４で挟持されてクランプ状態となり、ハウジング６０に対して動かなくなる。一方、クランプレバー５７を上記した方向とは反対に回動させると、ねじ軸部５７ａの先端面５７ｃが右側に移動していき、球状部材５１のクランプ状態が解除されてハウジング６０に対する動きが許容される。
【００４１】
また、左側部材６１と右側部材６２とが一体化した状態では、図１１に示すように、左側部材６１の左側上部切欠部６１ｂと右側部材６２の右側上部切欠部６２ｂとの開放側同士が合致して、ストッパ部５１ａが挿入されるストッパ部挿入孔６３が形成され、また、左側部材６１の左側下部切欠部６１ｃと右側部材６２の右側下部切欠部６２ｃとの開放側同士が合致して、円柱部５１ｂが挿入される円柱部挿入孔６４が形成されることになる。ストッパ部挿入孔６３の形状は、左側上部切欠部６１ｂと右側上部切欠部６２ｂとの形状で設定することができ、円柱部挿入孔６４の形状は、左側下部切欠部６１ｃと右側下部切欠部６２ｃとの形状で設定することができる。
【００４２】
円柱部挿入孔６４は、上下方向に長い長穴である。円柱部挿入孔６４の長径方向（上下方向）の寸法は、球状部材５１の円柱部５１ｂの外径よりも所定長さ以上長く設定されている。円柱部挿入孔６４の短径方向（左右方向）の寸法は、円柱部５１ｂの外径と略同じに設定されているが、円柱部５１ｂの外周面と円柱部挿入孔６４の内周面とが強干渉しない程度に両者の間に僅かな隙を作っている。従って、円柱部５１ｂは、円柱部挿入孔６４内において、左右方向には移動しないが、上下方向には移動可能となっている。
【００４３】
ストッパ部挿入孔６３は、ハウジング６０の奥行き方向に長い長穴である。ストッパ部挿入孔６３の長径方向（奥行き方向）の寸法は、ストッパ部５１ａの外径よりも所定長さ以上長く設定されている。ストッパ部挿入孔６３の短径方向（左右方向）の寸法も、ストッパ部５１ａの外径よりも長く設定されている。従って、ストッパ部５１ａは、ストッパ部挿入孔６３内において、奥行き方向及び左右方向に移動可能となっている。
【００４４】
ストッパ部挿入孔６３及び円柱部挿入孔６４が上記のように形成されているので、球状部材５１は、クランプが解除された状態でハウジング６０の内部において回動可能となっている。これにより、球状部材５１が固定された保持部材３０は、アーム部材１０のブロック１３に対する動きが許容される。保持部材３０の動きの方向は、図４及び図５に矢印Ａ、Ｂで示すようにアーム部材１０のブロック１３の中心線Ｘに対して上下に傾動する方向（傾動方向）と、図６及び図７に矢印Ｃ、Ｄで示すように中心線Ｘ周りに回動する方向（回動方向）とである。つまり、連結部５０に球状部材５１を設けてクランプするようにしたことで、ボールジョイントタイプの連結構造とすることができ、傾動及び回動を無段階に行うことができる。
【００４５】
傾動方向の動きは、球状部材５１のストッパ部５１ａがハウジング６０のストッパ部挿入孔６３内を奥行き方向に移動すること、及び、球状部材５１の円柱部５１ｂがハウジング６０の円柱部挿入孔６４内を上下方向に移動することによって実現される。このとき、球状部材５１の円柱部５１ｂは、円柱部挿入孔６４内を上下方向にのみ移動して左右方向には移動しないので、保持部材３０の動きが不安定になることはなく、上下方向にのみ傾動させることができる。すなわち、円柱部５１ｂを円柱部挿入孔６４によって上下方向に案内することができるようになっている。
【００４６】
また、ストッパ部５１ａがストッパ部挿入孔６３の周縁部のうち、前縁部に接触して係合することで、保持部材３０の上方への傾動範囲が設定されることになり、また、ストッパ部５１ａがストッパ部挿入孔６３の後縁部に接触して係合することで下方への傾動範囲が設定されることになる。ストッパ部５１ａがストッパ部挿入孔６３の前縁部や後縁部に係合した際には、円柱部５１ｂは、円柱部挿入孔６４の上縁部や下縁部には係合しないようになっている。この実施形態では、保持部材３０の傾動角度は中心線Ｘに対し上方へ１１．５度に設定している。また、下方への傾動角度も同様に設定している。この傾動角度は、上記値に限られるものではなく、他の値に設定してもよい。
【００４７】
保持部材３０の回動方向の動きは、球状部材５１のストッパ部５１ａがハウジング６０のストッパ部挿入孔６３内を左右方向に移動すること、及び、球状部材５１の円柱部５１ｂがハウジング６０の円柱部挿入孔６４内で該円柱部５１ｂの中心線周りに回動することによって実現される。
【００４８】
また、ストッパ部５１ａがストッパ部挿入孔６３の周縁部のうち、右縁部に接触して係合することで保持部材３０の右側への回動範囲が設定されることになり、また、ストッパ部５１ａがストッパ部挿入孔６３の左縁部に接触して係合することで左側への回動範囲が設定されることになる。この実施形態では、保持部材３０の回動角度は中心線Ｘ周りに右側へ９度に設定している。また、左側への回動角度も同様に設定している。この回動角度は、上記値に限られるものではなく、他の値に設定してもよい。
【００４９】
次に、上記のように構成された血液リザーバータンク用ホルダ１の使用要領について説明する。まず、血液リザーバータンク用ホルダ１をポールＰに取り付ける。このとき、パイプクランプレバー１４を上下に回動させてパイプＰをアームヘッド１１ａでクランプする。
【００５０】
血液リザーバータンク用ホルダ１をポールＰに取り付けた状態で、上側シャフトクランプレバー１５や下側シャフトクランプレバー１６を操作することにより、保持部材３０の高さ調整が行えるとともに、シャフト１２周りの位置調整も行える。
【００５１】
血液リザーバータンクＴを保持部材３０に保持した状態で、血液リザーバータンクＴの傾きが０、即ち、鉛直線に対して傾いていない状態となるように血液リザーバータンクＴの傾きを修正する。傾きを修正する場合には、まず、クランプレバー５７を緩み方向に回動させる。すると、球状部材５１のクランプ状態が解除されて、球状部材５１が左側クランプブロック５３と右側クランプブロック５４との間で動くことができるようになる。
【００５２】
この状態で、保持部材３０を上下に傾動させたり、左右に回動させて血液リザーバータンクＴの傾きを０にする。保持部材３０を上下に傾動させる際には、球状部材５１の円柱部５１ｂをハウジング６０の円柱部挿入孔６４によって上下方向に案内することができるので、不意に左右方向に傾動することはなく、作業性が良好である。
【００５３】
また、保持部材３０を傾動させると、ストッパ部５１ａがハウジング６０のストッパ部挿入孔６３の周縁部に係合して保持部材３０が不意に大きく傾動してしまうのを抑制することが可能である。保持部材３０を回動させる場合も、ストッパ部５１ａがハウジング６０のストッパ部挿入孔６３の周縁部に係合するので、保持部材３０が不意に大きく回動してしまうのを抑制することが可能である。
【００５４】
血液リザーバータンクＴの傾きが０になったら、クランプレバー５７を、そのねじ軸部５７ａがハウジング６０の右側ねじ穴６２ｄに螺合する方向に回動させる。すると、左側クランプブロック５３と右側クランプブロック５４とで球状部材５１がクランプされ、球状部材５１がハウジング６０に対して動かなくなり、血液リザーバータンクＴがポールＰに固定される。
【００５５】
以上説明したように、この実施形態に係る血液リザーバータンク用ホルダ１によれば、血液リザーバータンクＴを保持する保持部材３０を、アーム部材１０に対してその中心線Ｘ周りに回動させるとともに、中心線Ｘに対し傾動させることができる。これにより、血液リザーバータンクＴの傾きを修正することができる。よって、ポールＰが傾いている場合であっても血液レベルの正確な把握が可能となるように血液リザーバータンクＴを固定することができる。
【００５６】
また、連結部５０の球状部材５１を保持部材３０に固定し、その球状部材５１をクランプするクランプ機構５２をアーム部材１０に固定している。これにより、クランプ機構５２を操作することで保持部材３０の回動及び傾動が可能な状態と、保持部材３０の固定状態とを容易に切り替えることができ、操作性を良好にすることができる。
【００５７】
また、保持部材３０の回動範囲及び傾動範囲をストッパ部５１ａによって設定することができるので、保持部材３０が不意に大きく回動してしまったり、傾動してしまうのを抑制することができ、血液リザーバータンクＴの傾きを安全に、かつ、容易に修正することができる。
【００５８】
尚、上記実施形態では、連結部５０の球状部材５１のストッパ部５１ａが上方に突出するようにしているが、これに限らず、図１２に示す変形例のように、下方へ突出するようにしてもよい。この場合、ハウジング６０のストッパ部挿入孔６３は、該ハウジング６０の下壁部に形成する。この変形例では、ハウジング６０の上壁部にストッパ部挿入孔を設けなくてもよいので、埃等がハウジング６０の内部に侵入するのを抑制することができ、長期間に亘って球状部材５１の動きをスムーズにすることができる。
【００５９】
また、上記実施形態では、連結部５０の球状部材５１を保持部材３０に固定し、クランプ機構５２をアーム部材１０のブロック１３に固定するようにしているが、これに限らず、連結部５０の球状部材５１をアーム部材１０のブロック１３に固定し、クランプ機構５２を保持部材３０に固定するようにしてもよい。
【００６０】
また、上記実施形態では、連結部５０の球状部材５１のストッパ部５１ａとハウジング６０のストッパ部挿入孔６３とによって保持部材３０の傾動及び回動の両方の範囲を設定するようにしているが、これに限らず、ストッパ部挿入孔６３の形状を変更する等の方法によって、保持部材３０の傾動範囲のみ、保持部材３０の回動範囲のみを設定するようにしてもよい。
【００６１】
また、上記実施形態では、アーム部材１０が水平アーム１１、シャフト１２及びブロック１３の３つの部材に分割されているが、これに限らず、アーム部材１０は一体成形品であってもよい。
【００６２】
また、クランプレバー５７は、ハウジング６０の左側ねじ穴６１ｄに螺合させてもよい。この場合もクランプレバー５７によって球状部材５１をクランプ状態とクランプ解除状態とに切り替えることができる。
【００６３】
また、上記実施形態では、球状部材５１を硬質材料で構成し、左側及び右側クランプブロック５３，５４を弾性材料で構成しているが、これとは反対に、球状部材５１を弾性材料で構成し、左側及び右側クランプブロック５３，５４を硬質材料で構成してもよい。この場合、左側板部材５５及び右側板部材５６を省略することができる。
【００６４】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００６５】
以上説明したように、本発明に係る血液リザーバータンク用ホルダは、例えば、人工心肺装置や補助循環装置の血液リザーバータンクを固定する場合に適用できる。
【符号の説明】
【００６６】
１          血液リザーバータンク用ホルダ
１０        アーム部材
１２        シャフト
１３        ブロック
３０        保持部材
５０        連結部
５１        球状部材（可動部材）
５１ａ      ストッパ部
５２        クランプ機構
５７        クランプレバー
６０        ハウジング
６３        ストッパ部挿入孔
Ｔ          血液リザーバータンク
Ｐ          ポール（支持部材）
Ｘ          中心線
【図１】
2014161622.tif 000003
【図２】
2014161622.tif 000004
【図３】
2014161622.tif 000005
【図４】
2014161622.tif 000006
【図５】
2014161622.tif 000007
【図６】
2014161622.tif 000008
【図７】
2014161622.tif 000009
【図８】
2014161622.tif 000010
【図９】
2014161622.tif 000011
【図１０】
2014161622.tif 000012
【図１１】
2014161622.tif 000013
【図１２】
2014161622.tif 000014